(57)【要約】本願において、（１）回転軸の周りに対称に配置されて内部空間を囲む多孔質ロータと、（２）外側ケーシングであって、前記外側ケーシングと前記ロータが環状空間により分離された外側ケーシングと、（３）前記回転軸の周りに前記ロータを回転するように構成されたモータと、（４）前記回転軸に沿って配置され、前記内部空間に流体接続された注入口と、（５）前記内部空間に流体接続された第１の排出口とを備える装置が開示される。本願において、少なくとも一つの開示された装置を備えるシステムが開示される。本願において、供給ガスを第１の区画と第２の区画に分離する方法であって、前記第１の区画が前記第２の区画の平均分子量より低い平均分子量を有することを特徴とする方法も開示される。
2012518533.tif 000002
【特許請求の範囲】
【請求項１】
回転軸の周りに対称に配置されて内部空間を囲む多孔質ロータと、
外側ケーシングであって、前記外側ケーシングと前記ロータが環状空間により分離された外側ケーシングと、
前記回転軸の周りに前記ロータを回転するように構成されたモータと、
前記回転軸に沿って配置され、前記内部空間に流体接続された注入口と、
前記内部空間に流体接続された第１の排出口と、
を備える装置。
【請求項２】
前記注入口は前記内部空間まで延びている請求項１に記載の装置。
【請求項３】
前記ロータは実質的に管状である請求項１に記載の装置。
【請求項４】
前記多孔質ロータは選択透過性材料で作られ、又は選択透過性材料を備える請求項１に記載の装置。
【請求項５】
前記選択透過性材料は焼成金属又はセラミックを有する請求項４に記載の装置。
【請求項６】
前記多孔質ロータは４インチ（１０．２ｃｍ）から１２インチ（３０．５ｃｍ）の範囲の直径を有する請求項１に記載の装置。
【請求項７】
前記多孔質ロータは８インチ（２０．３ｃｍ）から２０インチ（５０．８ｃｍ）の範囲の長さを有する請求項６に記載の装置。
【請求項８】
前記モータは少なくとも７，５００ＲＰＭまで多孔質ロータの回転数を与えることができる請求項１に記載の装置。
【請求項９】
環状空間に流体接続された第２の排出口をさらに備える請求項１に記載の装置。
【請求項１０】
請求項１に記載の装置を少なくとも一つ備えるシステム。
【請求項１１】
少なくとも一つのポンプをさらに備える請求項１０に記載のシステム。
【請求項１２】
前記注入口に流体連通する供給ラインと、前記第１の排出口に流体接続された第１の排出ラインとをさらに備え、前記少なくとも一つのポンプは前記供給ライン又は前記第１の排出ラインに配置される請求項１１に記載のシステム。
【請求項１３】
供給ガスを第１の区画と第２の区画に分離する方法であって、前記第１の区画が前記第２の区画の平均分子量より低い平均分子量を有し、
ガス遠心分離機のロータ内の内部空間に前記供給ガスを導入する段階であって、前記ロータがガスに対して透過性であり、回転軸の周りに対称に配置される段階と、
前記回転軸の周りに前記ロータを回転し、それにより、前記供給ガスの重い分子が前記ロータに向かって押される段階と、
前記回転軸に近接する前記内部空間内から前記第１の区画を抽出し、前記第２の区画を前記内部空間に残す段階と、
を有する方法。
【請求項１４】
前記内部空間から前記第２の区画を抽出する段階をさらに有する請求項１３に記載の方法。
【請求項１５】
前記内部空間から前記第２の区画を抽出する段階は、前記第２の区画を前記多孔質ロータに通し、前記ロータの外部から前記第２の区画を抽出する段階を有する請求項１４に記載の方法。
【請求項１６】
前記ロータの外部から前記第２の区画を抽出する段階は、真空を使用することで前記第１の区画の抽出を補助する段階をさらに有する請求項１５に記載の方法。
【請求項１７】
前記回転軸の周りに前記ロータを回転する段階は少なくとも７，５００ＲＰＭの回転数を与える請求項１３に記載の方法。
【請求項１８】
前記多孔質ロータは焼成金属又はセラミックを有する請求項１３に記載の方法。
【請求項１９】
前記回転軸に近接する前記内部空間内から前記第１の区画を抽出する段階は、焼成金属管を介して前記第１の区画を抽出する段階を有する請求項１３に記載の方法。
【請求項２０】
前記焼成金属管は分級点径を超える粒子を排除する平均孔径を有する請求項１９に記載の方法。
【請求項２１】
焼成金属管を介して前記第１の区画を抽出する段階は、前記内部空間への真空の適用により前記第１の区画の抽出を補助する段階をさらに有する請求項２０に記載の方法。
【発明の詳細な説明】
【技術分野】
【０００１】
連邦支援の研究又は開発に関する記述
該当なし
【背景技術】
【０００２】
技術分野
本発明は概ねガス分離に関する。より詳細には、本発明は遠心分離による供給ガスの軽質成分と重質成分の分離に関する。なおより詳細には、諸実施例において、本発明は多孔質ロータを利用した遠心分離によるガス分離に関する。
【０００３】
発明の背景
ガス、特に似た分子量を有するガスの分離は骨の折れる作業である。同位体分離は特に困難であり、エネルギー集約型活動である。例えば、ウラン２３５及び天然ウラン２３８へのウランの分離である。天然ウランのおよそ９９．２８４％はウラン２３８％であり、約０．７１１％はウラン２３５であり、約０．００５８％はウラン２３４である。二つの同位元素は極めて同一の化学特性をもち、原子量が非常に似ており、ウラン２３５はウラン２３８より１．２６％軽いだけであるのでウランの濃縮は困難である。同位元素の原子量のわずかな差を利用する拡散技術及び遠心分離方法を含む分離方法は、ウランの同位元素を分離して主として２３８同位元素から成る劣化ウランと天然より多い量のウラン２３５同位元素を有する濃縮ウランを作るために採用されてきた。
【０００４】
拡散技術は似た分子量のガスを分離するために使用される。ガス拡散はガス状六フッ化ウランを半透膜、典型的には銀亜鉛膜に強制的に通し、拡散速度の差により異なる同位体を分離することにより濃縮ウランを作るために使用される技術である。ウラン２３８はウラン２３５より重く、従ってそれよりわずかに遅く拡散するので、これはウラン２３５とウラン２３８を含む分子間のわずかな分離を生み出す。熱拡散は同位体分離を達成するために薄い液体又はガスを横切る熱伝達を応用する。このプロセスは、より軽いウラン２３５ガス分子が高温面に向かって拡散し、より重いウラン２３８ガス分子が低温面に向かって拡散することを利用する。
【０００５】
遠心分離は似た分子量のガスの分離としても知られている。ガス遠心分離機は詳細には、高速で材料を回転する機構内にガス混合物を入れてその材料に力を加えることによりウラン２３８からウラン２３５を分離するために開発された分離機である。ガス遠心分離プロセスは直列及び並列構成の多数の回転円筒を使用する。各円筒の回転は強い反遠心力を作り出して質量に基づいて分子を加速し、ウラン２３８を含むより重いガス分子を円筒の外側に向かって移動させ、ウラン２３５濃度の高いより軽いガス分子をより中心近くに集める。ガス遠心分離では古いガス拡散プロセスと同様の分離を達成するのに必要なエネルギーはずっと少なく、従って、ガス遠心分離は濃縮方法としてガス拡散に大きく取って代わってきた。ジッペ式遠心分離機は標準のガス遠心分離機の改良機であり、主な相違は熱の使用である。回転円筒の底が加熱され、ウラン２３５を円筒の上に移動する対流を生み出し、そこでそれを収集できる。
【０００６】
全ての大規模濃縮方式に共通の特徴は、それらがより高濃度のウラン２３５を連続生産するために多くの同一ステージを採用することである。各ステージは次のステージに送られる前に前の段階の生成物をさらに濃縮する。同様に、各ステージの尾鉱はさらに処理するために前のステージに戻される。この逐次濃縮システムはカスケードと呼ばれる。例えば、ガス遠心分離は遠心分離機のカスケードを使用した多重遠心分離行程を用いて行われる。
【０００７】
例えばもう一つの費用のかかるガス分離はダウンホールで得られたメタンから不所望成分を分離することである。パイプライン等級メタンを供給するためにメタンから二酸化炭素及びその他の成分を除去することは一般的に非常に低い温度及び／又はアミン装置の使用を伴う。そのような装置は費用がかかり、それらの動作は時間がかかる。
【０００８】
従って、関係技術を考えれば、効率的で経済的なガス分離装置及び方法の必要性がある。望ましくは、分離は分離ステージの大きなカスケードのステージなしに行われ、かつ／あるいは冷却なしに行われる。
【発明の概要】
【０００９】
本願において、
（１）回転軸の周りに対称に配置されて内部空間を囲む多孔質ロータと、
（２）外側ケーシングであって、前記外側ケーシングと前記ロータが環状空間により分離された外側ケーシングと、
（３）前記回転軸の周りに前記ロータを回転するように構成されたモータと、
（４）前記回転軸に沿って配置され、前記内部空間に流体接続された注入口と、
（５）前記内部空間に流体接続された第１の排出口と、
を備える装置が開示される。諸実施例において、装置の注入口は内部空間まで延びている。
【００１０】
諸実施例において、装置のロータは実質的に管状である。諸実施例において、装置の多孔質ロータは選択透過性材料で作られ、あるいはそれを備える。一定の実施例において、選択透過性材料は焼成金属又はセラミックを含む。いくつかの実施例において、装置の多孔質ロータは約４インチ（１０．２ｃｍ）ないし約１２インチ（３０．５ｃｍ）の範囲の直径を有する。いくつかの実施例において、装置の多孔質ロータは約８（２０．３ｃｍ）ないし約２０インチ（５０．８ｃｍ）の範囲の長さを有する。一定の実施例において、装置のモータは少なくとも約７，５００ＲＰＭに至る多孔質ロータの回転数を与えることができる。一定の実施例において、装置はさらに、環状空間に流体接続された第２の排出口を備える。
【００１１】
本開示のもう一つの態様は既述の少なくとも一つの装置を備えるシステムを含む。一定の実施例において、開示されるシステムはさらに、少なくとも一つのポンプを備える。いくつかの実施例において、システムはさらに、注入口に流体連通する供給ラインと、第１の排出口に流体接続された第１の排出ラインとを備え、前記少なくとも一つのポンプは供給ライン又は第１の排出ライン上に配置される。
【００１２】
本願において、供給ガスを第１の区画と第２の区画に分離する方法であって、前記第１の区画が前記第２の区画の平均分子量より低い平均分子量を有することを特徴とする方法も開示される。開示される方法は、
（１）ガス遠心分離機のロータ内の内部空間に前記供給ガスを導入する段階であって、前記ロータがガスに対して透過性であり、回転軸の周りに対称に配置される段階と、
（２）前記回転軸の周りに前記ロータを回転し、それにより、前記供給ガスの重い分子が前記ロータに向かって押される段階と、
（３）前記回転軸に近接する前記内部空間内から前記第１の区画を抽出し、前記第２の区画を前記内部空間に残す段階と
を含む。いくつかの実施例において、回転軸の周りにロータを回転する段階は少なくとも７，５００ＲＰＭの回転数を与える。
【００１３】
いくつかの実施例において、方法はさらに、内部空間から第２の区画を抽出する段階を含む。いくつかの場合、内部空間から第２の区画を抽出する段階は第２の区画を多孔質ロータに通し、ロータの外部から第２の区画を抽出する段階を含む。一定の実施例において、ロータの外部から第２の区画を抽出する段階はさらに、真空の適用により第１の区画の抽出を補助する段階を含む。
【００１４】
一定の実施例において、多孔質ロータは焼成金属又はセラミックを含む。いくつかの実施例において、回転軸に近接する内部空間内から第１の区画を抽出する段階は焼成金属管を介して第１の区画を抽出する段階を含む。一定の実施例において、焼成金属管は分級点径を超える粒子を排除する平均孔径を有する。一定の他の実施例において、焼成金属管を介して第１の区画を抽出する段階はさらに、内部空間への真空の適用により第１の区画の抽出を補助する段階を含む。
【００１５】
これら及び他の実施例と潜在的利点は以下の詳細な説明と図面において明らかとなろう。
【００１６】
本発明の好ましい実施例のより詳細な説明のために、今度は以下の添付図面が参照される。
【図面の簡単な説明】
【００１７】
【図１】この開示の実施例によるシステムの模式図である。
【発明を実施するための形態】
【００１８】
表記及び命名
本願で使用する場合、ガス流の成分又は区画に言及するときの修飾語「軽」及び「重」の使用は相対重量を示す。すなわち、「軽質」成分又は区画が「重質」成分又は区画より低い分子量を有することを示す。
【００１９】
本願で使用する場合、ガス流の成分又は区画に言及するときの修飾語「大」及び「小」の使用は相対分子径を示す。すなわち、「大きい」成分又は区画が「小さい」成分又は区画より大きい分子径を有することを示す。
【００２０】
詳細な説明
Ｉ．概説
本願では、供給ガスを軽量区画又は成分と重量区画又は成分に分離するシステム及び方法が開示される。重量区画又は成分は軽量区画又は成分より高い分子量を有する。
【００２１】
遠心分離はその質量に従って分子を分離するために疑似重力（反遠心力を用いた）の効果に頼り、液体と気体材料の両方に適用できる。高速で材料を回転する機構（すなわち遠心分離機）内に材料を置くことにより力が加えられる。在来のガス遠心分離機は質量に基づいて分子を加速する反遠心力の原理に頼る。直列及び／又は並列のガス遠心分離機のカスケードで従来行われるように、遠心分離は異なる分子量を有する成分の分離を生じる。この開示によれば、焼成材料（すなわち多孔質ロータ及び／又は静止焼成金属管）を利用した遠心分離は多数の（数千に至る）ガス遠心分離機を備えるカスケードを必要とせずに１又は数ユニットによる有効な分離を可能にする。
【００２２】
システムとプロセスは理論的には、強制的に溶液を膜に通すために圧力が使用されて溶液を一方の側に保持して純粋溶媒を他方の側に通過させる逆浸透に似ている。
【００２３】
ＩＩ．ガス分離システム
この開示のガス分離システムは少なくとも一つの遠心分離機を備える。少なくとも一つの遠心分離機は少なくとも一つの多孔質焼成金属ロータ又は管を備える。諸実施例において、システムは少なくとも一つの多孔質ロータを備える。システムはさらに一つ以上のポンプを備えてもよい。ガス分離システムはさらに一つ以上の流量制御弁を備えてもよい。システムはガス遠心分離機に出入りする流量をモニタ及び制御する制御システムと電子通信していてもよい。
【００２４】
今度はこの開示によるガス分離システムが図１を参照して述べられる。図１はこの開示の実施例によるガス分離システム１００の模式図である。ガス分離システム１００はガス遠心分離機１１０、供給ポンプ１３０Ａ、第１の排出ポンプ１３０Ｂ、及び第２の排出ポンプ１３０Ｃを備える。
【００２５】
この開示のシステムは少なくとも一つのガス遠心分離機１１０を備える。開示されたシステムの一つ以上のガス遠心分離のそれぞれは外側ケーシング、多孔質ロータ又は多孔質排出管から選択された少なくとも一つの多孔質部品、少なくとも一つの注入口、及び少なくとも二つの生成物排出口を備える。図１の実施例において、ガス遠心分離機１１０は外側ケーシング１６５、多孔質ロータ１８５、注入口１２０、第１の区画排出口１４０、及び第２の区画排出口１９０を備える。
【００２６】
ガス遠心分離機１１０は外側ケーシング１６５を備える。図１に示されるように、外側ケーシング１６５はロータ１８５を囲む。外側ケーシング１６５はその外側及び／又は内側表面が円筒であってもよい。外側ケーシング１６５は有害材料がガス遠心分離機１１０の使用者に害を与えないように特有の材料で出来ていてもよい。諸用途において、ケーシング１６５のようなガス遠心分離機１１０の部品はステンレス鋼で出来ている。
【００２７】
多孔質ロータ又は静止多孔質管
一つ以上のガス遠心分離機のそれぞれは少なくとも一つの多孔質部品を備える。多孔質部品は多孔質ロータ又は静止多孔質管であってもよい。諸実施例において、ガス分離システムは多孔質ロータを備える。図１の実施例に示されるように、多孔質ロータ１８５はケーシング１６５内に回転軸１０３の周りに対称に配置される。多孔質ロータ１８５は、多孔質ロータ１８５の外壁１８６と外側ケーシング１６５の内面との間に間隙又は環状空間１０５が作り出されるように外側ケーシング１６５内に配置される。ロータ１８５は、動作時にほぼ無摩擦回転を与えるために使用に先立ち空気を抜くことができるように構成された内部空間１２２を囲む。多孔質ロータ１８５は選択透過性又は粒径排除ロータを備えてもよい。ロータは形状が管状、例えば焼成金属管でもよい。多孔質ロータ１８５は、所望径のガス状成分に対して透過性となるように設計される。
【００２８】
諸用途において、システムは多孔質管を備える。例えば、諸実施例において、第１の排出口１４０は静止多孔質管１５０の一端である。静止多孔質管１５０の壁は粒径排除又は選択透過性材料を備えても、その中に含んでもよい。
【００２９】
多孔質部品は焼成金属を備えても、含んでもよい。諸実施例において、多孔質ロータは、所望の孔径と多孔性に対して調整可能で回転に耐える全体強度を有する何れかの材料で出来た選択透過性円筒で出来ていても、含んでもよい。適する多孔質材料は例えばセラミックでもステンレス鋼でもよい。諸実施例において、多孔質材料は３１６ステンレス鋼を備える。諸用途において、多孔質材料の多孔性（密度）と平均孔径は、分級点径より大きい径を有する成分の通過を排除しながら所望の分級点径より小さい成分の通過を許すように調整される。
【００３０】
多孔質材料は焼成金属でもよい。諸実施例において、焼成金属の密度は約３ｇ／ｃｍ3ないし約６ｇ／ｃｍ3の範囲にある。諸用途において、焼成金属の密度は約３ｇ／ｃｍ3、３．５ｇ／ｃｍ3、４ｇ／ｃｍ3、４．５ｇ／ｃｍ3、５ｇ／ｃｍ3、又は６ｇ／ｃｍ3より大きくてもよい。諸用途において、多孔質材料の密度は約３．５ｇ／ｃｍ3、４ｇ／ｃｍ3、４．５ｇ／ｃｍ3、５ｇ／ｃｍ3、又は５．５ｇ／ｃｍ3である。諸実施例において、選択透過性多孔質材料の平均孔径は約２００μｍ未満、約５０μｍ未満、約２０μｍ未満、約１０μｍ未満、約５μｍ未満、約３μｍ未満、約１μｍ未満、又は約０．５μｍ未満である。諸実施例において、平均孔径は数オングストロームの範囲にある。
【００３１】
諸実施例において、多孔質材料は金型に金属粉末、例えばステンレス鋼粉末を入れ、高圧の下でそれをプレスすることにより形成される。諸実施例において、粉末を圧縮し、多孔質材料を形成するために２０，０００ｐｓｉｇより大きい圧力が利用される。諸実施例において、粉末を圧縮し、多孔質材料を形成するために５０，０００ｐｓｉｇより大きい圧力が利用される。諸実施例において、粉末を圧縮し、多孔質材料を形成するために１５０，０００ｐｓｉｇに至る圧力が利用される。プレスは出発粉末の厚さを少なくとも６０％少なくする可能性がある。次いで、プレスされた材料は炉内でか焼される。形成中の収縮を回避するために、材料は溶融温度に近くかつそれ未満の温度にされてもよく、収縮を回避／最小化するために十分な時間にわたり冷却が制御されてもよい。ロータの多孔質材料の形成中の温度制御は酸化物の形成も防止できる。
【００３２】
ロータの多孔質材料は材料の所望の曲がり、多孔性（密度）及び平均孔径を有するガス流路を与えるために特注品であってもよい。例えば、粉末はハニカム構造にプレスされてもよく、あるいは蝋が添加され、続いてか焼されてハニカム又は蝋構造を除去し、ロータの多孔質材料内にハニカム又は他の模様が付いた調整された経路又は空洞を残してもよい。このように、多孔質ロータは所望の平均孔径及び／又は流路で設計されてもよい。
【００３３】
多孔質ロータは一定の用途に適するように決定された直径と長さを有してもよく、ガス遠心分離機は何れの所望の公称サイズを有してもよい。従って、与えられた寸法はそれに限定することを意図しているわけではない。諸用途において、多孔質ロータ１８５は約２インチ（５．１ｃｍ）ないし約１２インチ（３０．５ｃｍ）、約４インチ（１０．２ｃｍ）ないし約１０インチ（２５．４ｃｍ）、約４インチ（１０．２ｃｍ）ないし約８インチ（２０．３ｃｍ）、又は約４インチ（１０．２ｃｍ）ないし約６インチ（１５．２ｃｍ）の範囲の直径を有する。多孔質ロータ１８５は約８インチ（２０．３ｃｍ）ないし約２０インチ（５０．８ｃｍ）、約１０インチ（２５．４ｃｍ）ないし約１７インチ（４３．２ｃｍ）、又は約１２インチ（３０．５ｃｍ）ないし約１５インチ（３８．１ｃｍ）の範囲の垂直長さを有してもよい。ガス遠心分離機１１０の公称容量は約１０ガロン（３７．８５リットル）でも、約５ガロン（１８．９２５リットル）でも、約１ガロン（３．７８５リットル）でもよい。ロータの焼成材料の厚さは所望の表面積を与えるように調整されてもよい。諸実施例において、ロータは約１／４インチ（０．６４ｃｍ）、約１／２インチ（１．２７ｃｍ）、約３／４インチ（１．９１ｃｍ）、又は約１インチ（２．５４ｃｍ）の厚さを有する焼成材料を備えてもよい。
【００３４】
多孔質部品（例えば静止金属排出管１５０）の所望の透過性又は平均孔径は所定の孔径（例えば３０ないし１００μｍ）の焼成材料を供給し、続いて分子篩又は膜を用いて焼成材料を処理することにより得られてもよい。焼成金属材料の外面は１層以上の分子篩で覆われてもよい。適する分子篩は以下に限定することなく、炭素篩、ＡＬＰＯＳ、ＳＡＰＯＳ、シリカ、チタンケイ酸塩、及びゼオライトを含む。諸実施例において、分子篩は３オングストローム（Ａ）ないし約２０Ａ（約０．３ｎｍないし約２ｎｍ）の範囲の孔径を有する。コーティングは自動車マフラーに使用されるモノリス及び／又はハニカム触媒コンバータ上に触媒面を作成するために利用される方法と同様の方法により塗布されてもよい。
【００３５】
多孔質ロータ１８５は焼成金属を備えても含んでもよい。ロータは透過性材料で出来ていても、それを含んでもよい。透過性材料は所望の動作回転に耐える全体強度を有する所望の孔径及び多孔性に対して調整されてもよい。諸用途において、ロータは炭素繊維を備えてもよい。
【００３６】
以上に述べられたように、ロータ１８５は多孔質でもよく、焼成材料を備えても含んでもよい。ロータは透過性材料で出来ていても、それを含んでもよい。透過性材料は所望の動作回転に耐える全体強度を有する所望の孔径及び多孔性に対して調整されてもよい。諸実施例において、多孔質ロータ１８５は外側支持体１８６と内側支持体１８８の間にサンドイッチされた透過性材料１８７を備える。例えば多孔質ロータ１８５の外壁１８６と内壁１８８が支持材料であってもよい。ロータ１８５の多孔質材料を支持体間に配置することにより、その強度が増加されてもよい。内側及び外側支持体１８６及び１８８は多孔質材料が中にサンドイッチされる支持体材料の籠に似ていてもよい。内側及び外側支持体は、多孔質材料が中にサンドイッチされる網籠（例えばステンレス鋼網籠）として構成されてもよい。内側及び外側支持体は、支持をもたらすことで知られかつガスが容易に通過する何れの材料でもよい。ロータの頂部１８９と底部１８４はガスに対して不透過性であってもよく、多孔質材料を備えてもよい。
【００３７】
開示されたシステムの少なくとも一つのガス遠心分離機はさらに、少なくとも一つの注入口を備えてもよい。図１の実施例のシステム１００は注入口１２０を備える。注入口１２０は多孔質ロータ１８５により定められる内部空間１２２に供給ガスを導入するように構成される。注入口１２０の一端１２５はガス遠心分離機１１０の内部空間１２２に流体連通している。注入口１２０の排出端１２５はガス遠心分離機１１０の内部空間１２２に流体連通している。注入口１２０の排出端１２５は回転軸１０３に近接して配置される。注入口１２０の排出端１２５は内部空間１２２の頂部１８９と底部１８４の間に配置される。諸実施例において、注入口１２０の排出端１２５は内部空間１２２の下部内に配置される。諸実施例において、注入口１２０の排出端１２５は内部空間１２２の底部１８４又はその近傍に配置される。諸用途において、注入口１２０の排出端１２５は内部空間１２２の上部内に配置される。諸実施例において、注入口１２０の排出端１２５は内部空間１２２の頂部１８９又はその近傍に配置される。注入口１２０の他端はその中に反応供給ガスを導入するように構成される。供給ガスライン１１５は内部空間１２２の外側にある注入口１２０の端部に流体接続される。
【００３８】
開示されたシステムの一つ以上のガス遠心分離機のそれぞれはガス遠心分離機からそれぞれ軽質区画と重質区画を除去するように構成された少なくとも二つの排出口を備える。図１の実施例において、システム１００は軽質区画又は第１の排出口１４０と重質区画又は第２の排出口１９０を備える。
【００３９】
軽質区画排出口１４０は内部空間１２２に流体連通している。諸実施例において、軽質区画排出口１４０は多孔質管１５０の一端である。多孔質管はシステム１００の動作中に静止していても回転していてもよい。多孔質管１５０の壁は内部空間１２２の全長にわたっている。諸用途において、多孔質管１５０の壁は、多孔質部品に関して上に述べられた粒径排除材料を備える。このように、例えば多孔質管１５０の壁は所望径のガスに対して選択透過性であってもよい。従って、諸実施例において、第１の排出口１４０は軸１０３に沿って多孔質ロータ１８５の全長にわたる静止焼成金属管の一端を備える。静止焼成金属管は分級点径未満の径を有するガス分子に対して選択透過性であってもよい。例えば、壁１５０はメタンガスに対して透過性で、二酸化炭素に対して不透過性であってもよい。第１又は軽質区画排出口１４０は軽質ガス排出ライン１５５に流体連通している。
【００４０】
ケーシング１６５の内面と多孔質ロータ１８５の外面１８６はそれらの間に環状領域１０５を作り出す。重質区画排出口１９０の一端１９２は環状領域１０５に流体連通している。生成物排出口１９０の端部１９２は環状領域１０５の例えば頂部、底部、又は中心に向かって環状領域１０５内の何れかの場所に垂直に配置されてもよい。諸実施例において、第２の排出口１９０の端部１９２は環状領域１０５の底部に向かって配置される。諸実施例において、生成物排出口１９０の端部１９２はケーシング１６５の内面に近接して配置される。あるいは、生成物排出口１９０の端部１９２はケーシング１６５の内面の先端に配置される。あるいは、生成物排出口１９０の端部１９２はケーシング１６５の内面とロータ１８５の外面１８６の間の実質的に中間に水平に配置される。重質区画排出口１９０は重質区画排出ライン１９５に流体連通している。
【００４１】
諸実施例において、注入口１２０の注入及び／又は排出端、第１の区画排出口１４０、及び／又は重質区画排出口１９０は１／２インチ（１．２７ｃｍ）、３／４インチ（１．９１ｃｍ）、又は１インチ（２．５４ｃｍ）の直径を有する。
【００４２】
ガス遠心分離機はさらに多孔質ロータに結合されたモータを備える。モータは回転軸の周りに多孔質ロータの回転を与えることができる。ロータの回転はロータ内の供給ガスに反遠心力を加える。例えば図１の実施例において、モータ１４５は多孔質ロータ１８５に結合され、回転軸１０３の周りに多孔質ロータ１８５を回転できる。モータは、多孔質ロータ１８５が時計方向又は反時計方向に回転できるように多孔質ロータ１８５に結合されてもよい。高速モータは９０，０００ＲＰＭに至る回転数が可能であってもよい。あるいは、何らかの他の手段が高回転数を与えてもよい。諸実施例において、高速モータは少なくとも分当たり５千、７千、７千５百、１万、１万５千、２万、２万５千、３万、４万、５万、６万、７万、８万、又は９万回転の回転数（ＲＰＭ）を作り出すことができる。
【００４３】
ガス分離システムはさらに、それに出入りする流量を制御するために一つ以上の流量制御弁及び／又はポンプを備えてもよい。一つ以上のポンプはガス遠心分離機１１０を通る流量を増すために真空及び圧力補助を行うように動作可能であってもよい。例えば図１の実施例において、ガス分離システム１００は３つのポンプ１３０Ａ、１３０Ｂ、及び１３０Ｃを備える。供給ポンプ１３０Ａは供給ライン１１５上に配置され、圧力の下に強制的に供給ガスをガス遠心分離機１１０に入れる役目をしてもよい。第１の排出ポンプ１３０Ｂは生成物排出ライン１５５上に配置され、第１の排出口１４０を介してガス流を制御（補助又は最小化）するように動作可能である。例えば第１の排出ポンプ１３０Ｂは内部空間１２２から軽質ガス区画の真空除去をもたらす役目をしてもよい。第２の排出ポンプ１３０Ｃは第２の排出ライン１９５上に配置され、第２の排出口１９０を介してガス流を制御（補助又は最小化）するように動作可能である。代わりに、又は加えて、一つ以上の流量制御弁がそれぞれ供給ライン１１５、第１の排出ライン１５５、及び第２の排出ライン１９５上に配置されてもよく、そこを通る流量を制御するために使用されてもよい。
【００４４】
システム１００はコンピュータ及びセンサを含む制御システムと電子通信していてもよく、それにより、注入口１２０、第１の排出口１４０、及び／又は第２の排出口１９０に出入りする流量、及び／又は内部空間１２２内のガス組成がモニタ及び／又は制御されてもよい。
【００４５】
ヒータ
一定の用途に対し、ガス遠心分離機１１０の全部又は一部がガス成分の分離を向上するために加熱されることが考えられる。例えば、ケーシング１６５の全部又は一部が関係技術において知られた装置と方法を用いて加熱されてもよい。そのような用途において、第２の排出口１９０が望ましくは環状空間１０５の下部内に配置されてもよく、注入口１２０の注入端１２５が内部空間１０５の底部又はその近傍に配置されてもよく、かつ／あるいは第１の排出口１４０の排出端が内部空間１８４の頂部１８９又はその近傍に配置されてもよい。
【００４６】
二つ以上のガス遠心分離機が直列及び／又は並列に構成されてもよい。諸実施例において、第１のガス遠心分離機の第１の排出ライン１５５が第２のガス遠心分離機の供給ガスライン１１５に流体接続される。第１のガス遠心分離機は第１の分級点径未満のガス分子を含む軽質ガス区画を作るように動作可能であり、第２のガス遠心分離機は第１の分級点径より大きい第２の分級点径未満のガス成分を含む第２の軽質ガス区画を作るように動作可能である。諸実施例において、第１のガス遠心分離機の第２の排出ライン１９５は第２のガス遠心分離機の供給ライン１１５に流体接続される。この実施例において、第１のガス遠心分離機は第１の分級点径を超えるガス分子を含む重質ガス区画を作るように動作可能であり、第２のガス遠心分離機は第１の分級点径より大きい第２の分級点径を超えるガス成分を含む第２の重質ガス区画を作るように動作可能である。このように、供給ガスは異なる平均分子量を有する三つ以上のガス区画に区画されてもよい。
【００４７】
ケーシング１６５は密閉容器を提供する。従って、ガス遠心分離機１１０内の温度と圧力は設計限界内で所望通りに調整可能である。ガス遠心分離機１１０は以下に限定されることなく、少なくとも１５ｐｓｉｇ、５００ｐｓｉｇ、１０００又は１４５５ｐｓｉｇに至る圧力で動作可能であってもよい。ガス遠心分離機１１０は以下に限定されることなく、１５０℃、２００℃、２５０℃、３００℃、４００℃、４５０℃、５００℃、５５０℃に至る温度、又は約６００℃に至る温度に対して動作可能であってもよい。
【００４８】
ＩＩＩ．ガス分離方法
今度はこの開示による、ガスの軽質区画と重質区画を分離する方法が図１を参照して成される。供給ガスが供給ライン１１５と注入口１２０を介してガス遠心分離機１１０に導入される。供給ガスは注入口１２０を介してロータ１８５の壁内に含まれる内部空間１２２に導入される。諸実施例において、供給ガスは内部空間１２２の頂部又はその近傍に導入される。諸実施例において、供給ガスは内部空間１２２の底部又はその近傍に導入される。供給ガスは回転軸１０３に近接する内部領域１２２に導入される。
【００４９】
供給ガスは、回転軸１０３の周りにロータ１８５の回転を生じるモータ１４５により反遠心力を受ける。ロータは５千、７千、７千５百、１万、１万５千、２万、２万５千、３万、４万、５万、６万、７万、８万、又は９万ＲＰＭの回転数で回転してもよい。反遠心力は供給ガスの重い分子量成分をロータ１８５の内壁１８８に向かって押し、一方、供給ガスの低分子量成分は内部空間１２２の中心、すなわち回転軸１０３に向かう傾向にある。低分子量ガスは第１の排出口１４０と第１の排出ライン１５５を介して抽出される。高分子量ガスは第２の排出口１９０と第２の排出ライン１９５を介して抽出される。第１のポンプ１３０Ｂ及び／又は第２のポンプ１３０Ｃにより真空及び／又は圧力補助を行って第１の排出口１４０と第１の排出ライン１５５を介した軽質ガス区画、及び／又は第２の排出口１９０と第２の排出ライン１９５を介した重質ガス区画の抽出を向上してもよい。諸用途において、抽出された軽質ガスの組成に基づいて内部空間１２２内のガスの組成がモニタ又は計算されながら、供給ガスが導入され、軽質ガスが抽出される。内部空間１２２での組成が所望の重質ガス区画濃度に達したら、第２の排出口１９０と第２のガス排出ライン１９５を介して重質ガスが抽出されてもよい。
【００５０】
上で議論されたように、諸用途において、第１の排出口１４０は多孔質焼成金属管１５０の一端であり、あるいはそれに流体連通している。多孔質管１５０は所望の分級点径未満の分子のみがそれを通過できる選択透過性材料で出来ていてもよい。諸実施例において、供給ガスが内部空間１２２に導入され、第１の排出ポンプ１３０Ｂにより真空が与えられて排出管１４０を介した低分子量ガス成分の抽出を補助する。環状領域１０５を介するガスの移動を防止するために圧力が第２の排出ポンプ１３０Ｃ又は閉じられた適当な弁を介して環状領域１０５に加えられてもよい。軽質ガスが第１の排出口１４０から引き出される。内部空間１２２内の重質ガス成分の濃度が所望値を超えたときは、供給ガスの導入は遮断され、低分子量ガスの抽出が完了し、ポンプ１３０Ｃが動作し、かつ／あるいは適当な弁が開いて多孔質ロータ１８５を介した環状領域１０５からの重質ガス成分の抽出をもたらす。
【００５１】
このように、真空及び／又は圧力補助は、ガス遠心分離機１１０から所望成分を抽出するために開示された方法に従って使用されてもよい。
【００５２】
ガス遠心分離機１１０はケーシング１６５により囲まれた密閉容器であるので、動作温度及び圧力は所望の性能に基づいて選択されてもよい。諸用途において、動作温度は約２５℃ないし約６００℃の範囲にあってもよい。諸用途において、動作温度は約１００℃又は１５０℃ないし約３００℃、４００℃、又は５００℃の範囲にあってもよい。諸実施例において、ガス分離／区画は室温で行われる。諸実施例において、ガス分離／区画は５℃ないし４５℃の範囲内の温度で行われる。諸実施例において、ガス分離／区画は２０℃ないし４０℃の範囲内の温度で行われる。諸実施例において、ガス分離／区画は２５℃ないし３５℃の範囲内の温度で行われる。動作圧力は設計材料の限界内の所望圧力であってもよい。高温の利用は室温でガス状ではない供給ガスの気相分離を可能にするかもしれない。
【００５３】
ガス遠心分離プロセスは一定の用途においてガス遠心分離機にガスが常時流入及び流出する設計を利用する。バッチ処理に頼るほとんどの遠心分離機と違って、開示されたガス遠心分離機は連続又は半連続処理を可能にする。そのような用途において、ガスはそれぞれ第１の排出ライン１５５と第２の排出ライン１９５を介して環状領域１０５及び／又は内部空間１２２から連続又は半連続的に抽出されてもよい。
【００５４】
直列動作
ガス分離方法の諸実施例において、第１のガス遠心分離機からの生成ガスは第２のガス遠心分離機にそれに対する供給ガスとして直接導入される。第１のガス遠心分離機は供給ガスから第１の重質成分を除去するように動作してもよく、第２のガス遠心分離機は供給ガスから第２の重質成分を除去するように動作してもよい等々である。このように、供給ガスは三つ以上の成分又は区画に区画されてもよい。
【００５５】
設計代案
ある実施例において、非多孔質ロータが多孔質粒径排除管１５０と組み合わされる。遠心分離は高分子量分子を非多孔質ロータ１８５の内壁１８８に向かい易くし、低分子量分ガス分子を回転軸１０３に一致する内部空間１２２の中心に向かい易くすることになる。内部空間内の重い分子量ガスの濃度が所望レベルを超えたら、供給ガスの導入が遮断されてもよく、重質ガスは内部空間１２２から除去されてもよい。内部空間１２２内の重質ガスの濃度は直接決定されても、流入供給ガスと、第１の排出口１４０と第１のガス排出ライン１５５を介して除去される軽質ガスとの差の計算により決定されてもよい。内部空間１２２内から重質ガスを抽出するために第２の排出口が設けられてもよい。そのような第２の排出口は回転軸１０３の周りに対称に内部空間１２２まで延びていてもよく、一旦内部空間１２２内に入ってロータ１８５の内壁１８８に近接する位置まで延びていてもよい。
【００５６】
例１
特定の実施例において、ＧＣに連続的に導入された供給ガスは二酸化炭素と、メタンの分子量より高い分子量を有する他のガス状不純物とを含む低質メタンガスを含む。そのような場合、メタンは第１の排出口１４０を介して内部空間１２２から除去されてもよく、一方、二酸化炭素と他の重質成分を含む重質区画は環状領域１０５から除去される。分離を向上するために、メタンを受け入れ、二酸化炭素を排除する孔径を有する壁を有する粒径排除排出管１５０が使用されてもよい。内部空間１２２の中心からメタンを引き出すのを補助するために真空１３０Ｂが使用されてもよい。二酸化炭素を含む所望濃度の高分子量成分が内部空間１２２内に残存するまでロータ１８５と環状領域１０５を介するガスの移動を防止するために環状空間１０５に圧力が加えられてもよい。このとき、供給ガスの導入は遮断されてもよい。１２２から低分子成分の最終量を除去するために真空１３０Ｂはしばらく続けられてもよい。次いで、真空１３０Ｂが遮断され、多孔質ロータ１８５と環状領域１０５を介して高分子量材料を抽出するためにポンプ１３０Ｃが利用されてもよい。軽量区画が後続のガス遠心分離機に導入されてもよく、メタンを含む軽質成分又は区画は、例えば窒素を含む第２の重質区画から分離されてもよい。
【００５７】
諸実施例において、メタンガスからの二酸化炭素のこの分離は室温で行われる。諸実施例において、メタンガスからの二酸化炭素のこの分離は５℃ないし４５℃の範囲内の温度で行われる。諸実施例において、メタンガスからの二酸化炭素のこの分離は２０℃ないし４０℃の範囲内の温度で行われる。諸実施例において、メタンガスからの二酸化炭素の分離は２５℃ないし３５℃の範囲内の温度で行われる。このように、パイプライン等級メタンは冷却及び／又はアミンシステムなしに作られてもよい。
【００５８】
例２
ある用途において、第１の排出口１４０は第１の分級点径で設計された多孔質管１５０の一端であり、あるいはそれに流体接続される。ガス成分１は分級点径未満の分子量を有し、一方、ガス成分２及び３は分級点径を超える径を有する。この実施例において、ガス成分１を含む軽質ガス区画は第１のガス排出口１４０を介して内部空間１２２から除去されてもよい。排除された成分２及び３を含む重質ガスは第２のガス排出口１９０を介してガス遠心分離機から抽出されてもよい。排除された成分２及び３を含む重質ガスは続いて、第１の分級点径より大きい第２の分級点径で設計された焼成金属管を備える、第１の排出口１４０を備える第２のガス遠心分離機に供給ガスとして導入される。このように、ガス成分２は第１の排出口１４０を介して除去され、従ってガス成分３から分離されてもよく、これは多孔質ロータ１８５と環状領域１０５を介して抽出されてもよい。分離を向上するために真空及び／又は圧力補助が利用されてもよい。
【００５９】
例３
特定の実施例において、開示されたシステム及び方法はウランを濃縮するために利用される。そのような用途において、粒径排除ＧＣに連続的に導入された供給ガスはウラン２３５とウラン２３８を含むガス状六フッ化ウランを含む。そのような場合、軽質ガス成分のウラン２３５は第１の排出口１４０を介して除去され、重質成分のウラン２３８は第２の排出口１９０を介して抽出される。
【００６０】
発明の好ましい実施例が示され、述べられてきたが、その変形は、発明の精神と教示から逸脱することなく関係技術において技術を有する者により成すことができる。本願に述べられた諸実施例は例示に過ぎず、限定することを意図しているわけではない。本願に開示された発明の多くの変種と変形が可能であり、これらは発明の範囲内にある。数値範囲又は限界が明示的に述べられた場合、そのような特定の範囲又は限界は、明示的に述べられた範囲又は限界内に入る同様の大きさを有する反復範囲又は限界を含むと理解すべきである（例えば、１ないし１０は２、３、４、等を含み、０．１０より大きいは０．１１、０．１２、０．１３等々を含む）。請求項の何れかの要素に関する用語「随意に」は対象要素が必要であり、あるいは必要でないことを意味することを意図している。両選択肢は請求項の範囲内にあることを意図している。備える、含む、有する等のようなより広い用語の使用は、〜から成る（consisting of）、実質的に〜から成る（consisting essentially of）、実質的に〜から構成される（comprised substantially of）等のようなより狭い用語を補助すると理解すべきである。
【００６１】
従って、保護範囲は上に述べられた説明により限定されず、以下の特許請求の範囲によってのみ限定され、その範囲は特許請求の範囲の主題の全ての均等物を含む。どの請求項も本発明の実施例として明細書に援用される。従って、特許請求の範囲はさらなる説明であり、本発明の好ましい実施例への追加である。全ての特許、特許出願及び本願に引用された刊行物の開示は、それらが本願に述べられたものを補足する例示的、手続的又は他の詳細を提供する限りにおいて、本願により引用して援用される。
【図１】
2012518533.tif 000003
【国際調査報告】
2012518533.tif 000004
2012518533.tif 000005